(57)【特許請求の範囲】
【請求項１】
太陽光により電力を発生する太陽光発電装置を支柱に固定する太陽光発電装置用架台であって、
当該太陽光発電装置が取り付けられる並行アームと、
当該並行アームを前記支柱に取り付けるフレームと、
当該フレームを当該支柱に方向調整取付可能に固定するバンドと、
当該並行アームと当該フレームとの間に当該並行アームの傾斜角調整自在に渡される１本以上の控調節具と、を有し、
当該フレームに対し当該並行アームを片持支架自在に形成してなる、
ことを特徴とする太陽光発電装置用架台。
【請求項２】
前記太陽光発電装置用架台は、
前記並行アーム基端と前記フレーム上端とを枢支軸により当該並行アームが回転自在に枢結されてなる、
ことを特徴とする請求項１に記載の太陽光発電装置用架台。
【請求項３】
前記控調節具は、
左右一対の棒状部材からなり、
前記枢支軸は、
前記並行アーム基端及び前記フレーム上端の並突部に亙りそれぞれ貫通支承する、
ことを特徴とする請求項１又は２に記載の太陽光発電装置用架台。
【請求項４】
前記フレームは、
長方形の溝型板形状を成しており、当該溝型板形状の外背面が前記支柱の一側面に接するように、当該支柱に前記バンドにて方向調整取付自在となるように形成する、
ことを特徴とする請求項１、２又は３に記載の太陽光発電装置用架台。
【請求項５】
前記フレームは、
前記外背面を前記支柱に方向調整取付可能に固定する前記バンドを挿通するバンド穴を貫設してなる、
ことを特徴とする請求項４に記載の太陽光発電装置用架台。
【請求項６】
前記並行アーム及び前記フレームは、
長手側面に亙り間隔を置き、前記控調節具両端を止め具にてそれぞれ止める止め穴を複数貫設してなる、
ことを特徴とする請求項４又は５に記載の太陽光発電装置用架台。
【請求項７】
前記並行アームと前記フレームは、
当該並行アームの並行側面長手方向に亙り止め長穴を貫設延在し、
前記フレームの並行側面長手方向に亙り間隔を置き、止め具の止め穴を複数貫設し、
前記並行アームの止め長穴に対し控調節具の一端をかつ他端を前記フレームの並行側面の選択された一つの止め穴に対応合致して当該並行アームの傾斜角調整自在に前記止め具にて止める、
ことを特徴とする請求項４又は５に記載の太陽光発電装置用架台。
【請求項８】
前記止め具は、
個々に独立して前記止め穴ともども前記控調節具各端を貫通締結自在なボルトとナットである、
ことを特徴とする請求項６又は７に記載の太陽光発電装置用架台。
【請求項９】
前記止め具は、
固定具両端部に頭無しボルトを並立して一体的に、対応する一対の前記止め穴ともども前記控調節具両端を同時貫通締結自在な固定具連立ボルトとナットである、
ことを特徴とする請求項６又は７に記載の太陽光発電装置用架台。
【請求項１０】
太陽光により電力を発生する太陽光発電装置を支柱に固定する太陽光発電装置用架台であって、
当該太陽光発電装置が取り付けられる並行アームと、
傾斜角調整取付自在な当該並行アームを前記支柱に取り付けるフレームと、
当該フレームを当該支柱に方向調整取付可能に固定するバンドと、を有し、
当該フレームに対し当該並行アームを両持支架自在に形成してなる、
ことを特徴とする太陽光発電装置用架台。
【請求項１１】
前記並行アームは、
先端を閉鎖連結された平面コ字形である、
ことを特徴とする請求項１０に記載の太陽光発電装置用架台。
【請求項１２】
前記フレームは、
溝型本体部の下端に並行ブラケット部を突設して、
側面Ｌ字形に形成してある、
ことを特徴とする請求項１０又は１１に記載の太陽光発電装置用架台。
【請求項１３】
前記フレームは、
前記溝型本体部の外背面を前記支柱に方向調整取付可能に固定する前記バンドを挿通するバンド穴を貫設してなる、
ことを特徴とする請求項１２に記載の太陽光発電装置用架台。
【請求項１４】
前記並行アームと前記フレームは、
当該並行アームの並行側面、当該フレームの溝型本体部並行側面及び並行ブラケット部側面のそれぞれ長手方向に亙り間隔を置き、止め具の止め穴を複数貫設し、前記並行アーム基端の止め穴と前記溝型本体部並行側面の止め穴の一つとを選択合致する一方、
当該並行アームの他の止め穴の一つと前記並行ブラケット部側面の止め穴の一つを選択合致して当該並行アームの傾斜角調整自在に前記止め具にて止める、
ことを特徴とする請求項６又は７に記載の太陽光発電装置用架台。
【請求項１５】
前記並行アームと前記フレームは、
当該並行アームの並行側面長手方向に亙り止め長穴を貫設延在し、
前記フレームの溝型本体部並行側面及び並行ブラケット部側面のそれぞれ長手方向に亙り間隔を置き、止め具の止め穴を複数貫設し、
前記並行アームの止め長穴上端に対し前記溝型本体部並行側面の止め穴の一つを選択合致する一方、当該並行アームの当該止め穴下端側に対し前記並行ブラケット側面の止め穴の一つを選択合致して当該並行アームの傾斜角調整自在に前記止め具にてそれぞれ止める、
ことを特徴とする請求項６又は７に記載の太陽光発電装置用架台。
【発明の詳細な説明】
【０００１】
【発明の属する技術分野】
本発明は、太陽光により電力を発生する太陽光発電装置設置に供される架台、即ち太陽光発電装置用架台に関するものである。
【０００２】
【従来の技術】
近年のエネルギ需要の増大と石油や石炭等の化石エネルギの埋蔵量減少により、従来十分に活用されていなかった太陽光エネルギを有効活用する太陽光発電装置の重要性が増してきている。この太陽光発電装置は、一般に太陽光発電装置用架台に載せられて、比較的平坦な面に設置されている。
【０００３】
図１２は、従来の太陽光発電装置用架台の構成例及び設置例を示す斜視図である。従来の太陽光発電装置用架台は、アングル２００と、コンクリート基礎３００より構成されたものであり、地上面にコンクリート基礎３００を構築し、そのコンクリート基礎３００上に傾斜面を有するアングル２００を設けたものである。
【０００４】
そして、アングル２００の上には太陽光発電装置１００が設置される。このような構成により、従来の太陽光発電装置用架台は、アングル２００によって予め設計された傾斜角度に太陽光発電装置１００を設置することが可能となり、太陽光発電装置１００により電力を発生することが出来る。
【０００５】
【発明が解決しようとする課題】
しかしながら、上述の従来の太陽光発電装置用架台では、太陽光発電装置１００をコンクリート基礎３００及びアングル２００を介して地上に設置する必要があるので、広い設置面積と、多大な設置コストが必要となる。また、傾斜面等に設置する場合には、土壌のクリープ等に起因した崩災を防ぐため、当該傾斜面をコンクリート層やコンクリートブロック等で補強する必要がある。
【０００６】
また、雑草などの成長により、太陽光発電装置が雑草の陰に隠れてしまうことを防ぐ必要がある。これらの理由により、コンクリート基礎３００やアングル２００の材料費や設置工事費が高くなり、太陽光発電装置用架台を含めたシステム全体の価格が高くなるという問題点がある。
【０００７】
また、太陽光発電装置１００は、太陽光線をもっとも効率よく受ける方向に向けて設置する必要がある。しかし、太陽光発電装置１００を設置したときの設置角度は設置場所によって異なるので、設置場所毎に架台を設計する必要がある。このため、架台の標準化が困難となっており、工場における大量生産をすることができず、太陽光発電装置用架台の製造コストを更に高めている。
【０００８】
ここにおいて、本発明の解決すべき主要な目的は以下の通りである。
即ち、本発明の第１の目的は、太陽光発電装置の設置面積を削減することを可能とする太陽光発電装置用架台を提供せんとするものである。
【０００９】
本発明の第２の目的は、太陽光発電装置の傾斜角度を簡易に調整出来る構成にすることによって、設置場所ごとの太陽光発電装置用架台の設計を不用として、かかる架台の量産化を可能とする太陽光発電装置用架台を提供せんとするものである。
【００１０】
本発明の第３の目的は、支柱に直接設置することが可能であり、設置場所にかかわらずに太陽光発電装置の発電効率を高く維持することが可能であって、簡易な構造で、施工性に優れ、メンテナンスも容易である太陽光発電装置用架台を提供せんとするものである。
【００１１】
本発明の他の目的は、明細書、図面、特に、特許請求の範囲における各請求項の記載から自ずと明らかとなろう。
【００１２】
本発明装置は、前記課題の解決に当り、支柱に前記太陽光発電装置を固定する太陽光発電装置用架台であって、前記太陽光発電装置が取り付けられる並行アームと、当該並行アームを前記支柱に取り付けるフレームと、の組合一体を当該支柱にバンドで固定する構造であり、当該並行アームの傾斜角度及び方向を簡易に調整取付可能な構造を有してなる構成手段を講じる特徴を有する。
【００１３】
更に、具体的詳細に述べると、当該課題の解決では、本発明が次に列挙する上位概念から下位概念にわたる新規な特徴的構成手法又は手段を採用することにより、上記目的を達成するように為される。
【００１４】
即ち、本発明装置の第１の特徴は、太陽光により電力を発生する太陽光発電装置を支柱に固定する太陽光発電装置用架台であって、当該太陽光発電装置が取り付けられる並行アームと、当該並行アームを前記支柱に取り付けるフレームと、当該フレームを当該支柱に方向調整取付可能に固定するバンドと、当該並行アームと当該フレームとの間に当該並行アームの傾斜角調整自在に渡される１本以上の控調節具と、を有し、当該フレームに対し当該並行アームを片持支架自在に形成してなる太陽光発電装置用架台の構成採用にある。
【００１５】
本発明装置の第２の特徴は、上記本発明装置の第１の特徴における前記太陽光発電装置用架台が、前記並行アーム基端と前記フレーム上端とを枢支軸により当該並行アームが回転自在に枢結されてなる太陽光発電装置用架台の構成採用にある。
【００１６】
本発明装置の第３の特徴は、上記本発明装置の第１又は第２の特徴における前記控調節具が、左右一対の棒状部材からなり、前記枢支軸が、前記並行アーム基端及び前記フレーム上端の並突部に亙りそれぞれ貫通支承してなる太陽光発電装置用架台の構成採用にある。
【００１７】
本発明装置の第４の特徴は、上記本発明装置の第１、第２又は第３の特徴における前記フレームが、長方形の溝型板形状を成しており、当該溝型板形状の外背面が前記支柱の一側面に接するように、当該支柱に前記バンドにて方向調整取付自在となるように形成してなる太陽光発電装置用架台の構成採用にある。
【００１８】
本発明装置の第５の特徴は、上記本発明装置の第４の特徴における前記フレームが、前記外背面を前記支柱に方向調整取付可能に固定する前記バンドを挿通するバンド穴を貫設してなる太陽光発電装置用架台の構成採用にある。
【００１９】
本発明装置の第６の特徴は、上記本発明装置の第４又は第５の特徴における前記並行アーム及び前記フレームが、長手側面に亙り間隔を置き、前記控調節具両端を止め具にてそれぞれ止める止め穴を複数貫設してなる太陽光発電装置用架台の構成採用にある。
【００２０】
本発明装置の第７の特徴は、上記本発明装置の第４又は第５の特徴における前記並行アームと前記フレームが、当該並行アームの並行側面長手方向に亙り止め長穴を貫設延在し、前記フレームの並行側面長手方向に亙り間隔を置き、止め具の止め穴を複数貫設し、前記並行アームの止め長穴に対し控調節具の一端をかつ他端を前記フレームの並行側面の選択された一つの止め穴に対応合致して当該並行アームの傾斜角調整自在に前記止め具にて止めてなる太陽光発電装置用架台の構成採用にある。
【００２１】
本発明装置の第８の特徴は、上記本発明装置の第６又は第７の特徴における前記止め具が、個々に独立して前記止め穴ともども前記控調節具各端を貫通締結自在なボルトとナットである太陽光発電装置用架台の構成採用にある。
【００２２】
本発明装置の第９の特徴は、上記本発明装置の第６又は第７の特徴における前記止め具が、固定具両端部に頭無しボルトを並立して一体的に、対応する一対の前記止め穴ともども前記控調節具両端を同時貫通締結自在な固定具連立ボルトとナットである太陽光発電装置用架台の構成採用にある。
【００２３】
本発明装置の第１０の特徴は、太陽光により電力を発生する太陽光発電装置を支柱に固定する太陽光発電装置用架台であって、当該太陽光発電装置が取り付けられる並行アームと、傾斜角調整取付自在な当該並行アームを前記支柱に取り付けるフレームと、当該フレームを当該支柱に方向調整取付可能に固定するバンドと、を有し、当該フレームに対し当該並行アームを両持支架自在に形成してなる太陽光発電装置用架台の構成採用にある。
【００２４】
本発明装置の第１１の特徴は、上記本発明装置の第１０の特徴における前記並行アームが、先端を閉鎖連結された平面コ字形である太陽光発電装置用架台の構成採用にある。
【００２５】
本発明装置の第１２の特徴は、上記本発明装置の第１０又は第１１の特徴における前記フレームが、溝型本体部の下端に並行ブラケット部を突設して、
側面Ｌ字形に形成してある太陽光発電装置用架台の構成採用にある。
【００２６】
本発明装置の第１３の特徴は、上記本発明装置の第１２の特徴における前記フレームが、前記溝型本体部の外背面を前記支柱に方向調整取付可能に固定する前記バンドを挿通するバンド穴を貫設してなる太陽光発電装置用架台の構成採用にある。
【００２７】
本発明装置の第１４の特徴は、上記本発明装置の第６又は第７の特徴における前記並行アームと前記フレームが、当該並行アームの並行側面、当該フレームの溝型本体部並行側面及び並行ブラケット部側面のそれぞれ長手方向に亙り間隔を置き、止め具の止め穴を複数貫設し、前記並行アーム基端の止め穴と前記溝型本体部並行側面の止め穴の一つとを選択合致する一方、当該並行アームの他の止め穴の一つと前記並行ブラケット部側面の止め穴の一つを選択合致して当該並行アームの傾斜角調整自在に前記止め具にて止めてなる太陽光発電装置用架台の構成採用にある。
【００２８】
本発明装置の第１５の特徴は、上記本発明装置の第６又は第７の特徴における前記並行アームと前記フレームが、当該並行アームの並行側面長手方向に亙り止め長穴を貫設延在し、前記フレームの溝型本体部並行側面及び並行ブラケット部側面のそれぞれ長手方向に亙り間隔を置き、止め具の止め穴を複数貫設し、前記並行アームの止め長穴上端に対し前記溝型本体部並行側面の止め穴の一つを選択合致する一方、当該並行アームの当該止め穴下端側に対し前記並行ブラケット側面の止め穴の一つを選択合致して当該並行アームの傾斜角調整自在に前記止め具にてそれぞれ止めてなる太陽光発電装置用架台の構成採用にある。
【００２９】
【発明の実施の形態】
以下、添付図面を参照しながら、本発明の実施の形態を各種装置例につき説明する。
【００３０】
なお、本発明は、図１から図１１に示された構造を特徴とする太陽光発電装置用架台であり、太陽光発電装置が取り付けられる並行アームの傾斜角度を固定具の取り付け位置を変更することなどにより簡易に調整可能な構造にして、設置場所の緯度及び気象条件に適合して効率良く発電出来る太陽光発電装置の設置を、簡易な施工及び小スペースで実施出来るようにするものであるが、本実施形態では、四角形の太陽光発電装置用の架台を挙げて説明するも、本発明はこれ等に限定されるものではなく、円形、楕円形、三角形及び五角形以上の各種多角形にも適用出来る。
【００３１】
（装置例１）
図１は、本発明の装置例１を示す太陽光発電装置用架台の正面図である。図２は、装置例１の平面図である。図３は、装置例１の側面図であり、（ａ）が全体側面図、（ｂ）が要部拡大側面図である。図４は、装置例１の構成要素の一部であり、（ａ）が固定具の使用時の平面図、（ｂ）が固定ボルトの使用時の平面図、（ｃ）が控調節具、固定具、ナット及び固定ボルトの斜視図である。図５は、装置例１の斜視図であり、（ａ）が全体斜視図、（ｂ）が並行アームの斜視図、（ｃ）が図５（ｂ）の点線での切断斜視図である。
【００３２】
図中、１は円柱形状の支柱、２は支柱１に後述のフレーム５を方向調整して取り付けるためのバンド、３はバンド２の両端を締結固定するボルトナット、４は後述のフレーム５に形成された４つのバンド穴、５は支柱１に取り付けられるフレーム、６は後述の太陽光発電装置７が取り付けられる並行アーム、７は太陽光により電力を発生する太陽光発電装置、８は並行アーム６をフレーム５に連結するための棒状部材であって並行アーム６の基端及びフレーム５上端の並突部５ａを貫通する枢支軸である。
【００３３】
９は太陽光発電装置７を並行アーム６に装着するネジ、１０は並行アーム６とフレーム５との側面間に渡される控調節具、１１は控調節具１０をフレーム５及び並行アーム６に固定するために頭無しボルトを並行植立して連立ボルト１１ａとした平面コの字形状の部材からなる固定具、１２はナット、１３はフレーム５及び並行アーム６に形成された孔であって固定具１１の連立ボルト１１ａが挿入される止め穴、１４は固定具１１と同様に機能して控調節具１０をフレーム５及び並行アーム６に固定するために用いられる固定ボルトである。
【００３４】
図２に示すように、フレーム５に形成された４つのバンド穴４には、１本のバンド２が連続挿通されている。このバンド２は、支柱１に巻きつけられ、その両端がボルトナット３によって締結固定されている。これにより、フレーム５は、支柱１の一側面に所望の方向を向けて取り付けられる。
ここで、フレーム５は、長方形の溝型板形状を成しており、当該溝型板形状の長手方向が支柱１の長手方向と略一致し、且つ、当該溝型板形状の外背面が支柱１の側面に接するように、支柱１に取り付けられる。
【００３５】
並行アーム６は、図１、図２、図３及び図５に示すように、枢支軸８によってフレーム５の並突部５ａに回動可能に枢結されている。また、並行アーム６は、図５に示すように、２本の断面Ｌ型棒状部材からなり、その棒状部材の側面上には、太陽光発電装置７がネジ９によって装着されている。
【００３６】
フレーム５及び並行アーム６それぞれの側面には、図３及び図５に示すように、固定具１１又は固定ボルト１４を挿入する止め穴１３が複数個形成されている。そこで、フレーム５及び並行アーム６における固定具１１又は固定ボルト１４の挿入位置、即ち控調節具１０の取り付け位置を選択・変更することによって、並行アーム６の傾斜角度即ち太陽光発電装置７の傾斜角度を所望の角度に設定して固定することが出来る。
【００３７】
また、控調節具１０は、図４に示すように、固定具１１の連立ボルト１１ａ又は固定ボルト１４の先端にナット１２をねじ込み固定することによって、フレーム５及び並行アーム６からの脱落を防いでいる。なお、控調節具１０と固定具１１又は固定ボルト１４との取り付けは、止め穴１３の裏表、即ちフレーム５及び並行アーム６の裏表、のどちらからでも取り付け可能となっている。
【００３８】
これらにより、本発明の装置例１によれば、支柱１に簡易に設置することが可能であるので、図１２に示すような従来の太陽光発電装置用架台よりも設置面積を大幅に低減することが可能となる。また、太陽光発電装置７の傾斜角度（抑角）及びその太陽光発電装置７の向きを、所望の傾斜角度及び向きに簡易に設定・調整出来るので、支柱１の設置地域及び環境に左右されずに、高効率の発電を太陽光発電装置７にさせることが出来る。
【００３９】
上述の装置例１では、図５（ａ）に示すように、並行アーム６及びフレーム５のそれぞれに止め穴１３を有した構造となっているが、並行アーム６及びフレーム５の両方、又はどちらか一方が止め穴１３を持たない構造としてもよい。
【００４０】
並行アーム６及びフレーム５が止め穴１３を持たない構造とした場合は、図５（ａ）に示す装置例１を参照して説明すると、太陽光発電装置７が取り付けられる並行アーム６と、並行アーム６を支柱１に取り付けるフレーム５と、並行アーム６とフレーム５との間に渡される左右一対の控調節具１０と、を有し、並行アーム６と控調節具１０との接触点、及び、フレーム５と控調節具１０との接触点を、それぞれ固定した構成とする。
【００４１】
（装置例２）
図６は、本発明の装置例２を示す太陽光発電装置用架台の側面図であり、（ａ）が全体側面図、（ｂ）が要部拡大側面図である。
図中、上述の装置例１の構成部材と同一の部材には同一の符号を付している。
【００４２】
装置例２と装置例１との相違点は、装置例１における並行アーム６が、装置例２では並行アーム６’に入れ替わっている点である。即ち、並行アーム６’において、固定具１１の連立ボルト１１ａ又は固定ボルト１４を挿入するための止め長穴１７が形成されている点が相違点である。その他の構成は、図１から図５に示す装置例１と同じである。
【００４３】
装置例２の具体的構成を以下に説明する。フレーム５に形成された４つのバンド穴４には、１本のバンド２が挿通されている。このバンド２は、支柱１に巻きつけられ、その両端がボルトナット３によって締結固定されている。これにより、フレーム５は、支柱１の一側面に所望の方向を向けて取り付けられる。
ここで、フレーム５は、長方形の溝型板形状を有しており、当該溝型板形状の長手方向が支柱１の長手方向と略一致し、且つ、当該溝型板形状の側面が支柱１の側面に接するように、支柱１に取り付けられる。
【００４４】
並行アーム６’は、図６に示すように、枢支軸８によってフレーム５に回動可能に枢結されている。また、並行アーム６’は、図５に示す並行アーム６と同様に、２本の棒状部材からなり、その断面Ｌ型棒状部材の上側面には、太陽光発電装置７がネジ９によって装着されている。
【００４５】
フレーム５の側面には、図３、図５及び図６に示すように、固定具１１の連立ボルト１１ａ又は固定ボルト１４を挿入する止め穴１３が複数個形成されている。
並行アーム６’の側面には、固定具１１の連立ボルト１１ａ又は固定ボルト１４を挿入する止め長穴１７が形成されている。
【００４６】
そこで、フレーム５及び並行アーム６’における固定具１１の連立ボルト１１ａ又は固定ボルト１４の挿入位置、即ち控調節具１０の取り付け位置を選択・変更することによって、並行アーム６’の傾斜角度即ち太陽光発電装置７の傾斜角度を所望の角度に設定して固定することが出来る。ここで、並行アーム６’に止め長穴１７を形成したことにより、装置例２の方が装置例１よりも、太陽光発電装置７の傾斜角度の微調整が容易となっている。
【００４７】
また、控調節具１０は、図４に示す並行アーム６を並行アーム６’に置き換えると明らかなように、固定具１１の連立ボルト１１ａ又は固定ボルト１４の先端にナット１２をねじ込み固定することによって、フレーム５及び並行アーム６’からの脱落を防いでいる。なお、控調節具１０と固定具１１又は固定ボルト１４との取り付けは、止め穴１３及び止め長穴１７の裏表、即ちフレーム５及び並行アーム６’の裏表、のどちらからでも取り付け可能となっている。
【００４８】
これらにより、本発明の装置例２によれば、装置例１と同様に、支柱１に簡易に設置することが可能であるので、図１２に示すような従来の太陽光発電装置用架台よりも設置面積を大幅に低減することが可能となる。また、太陽光発電装置７の傾斜角度（抑角）及びその太陽光発電装置７の向きを、装置例１よりも微細に、所望の傾斜角度及び向きに簡易に設定・調整出来るので、支柱１の設置地域及び環境に左右されずに、高効率の発電を太陽光発電装置７にさせることが出来る。
【００４９】
なお、上述の装置例２では、フレーム５には複数の止め穴１３が形成されているが、フレーム５として、止め穴１３の代わりとして機能する長穴（並行アーム６’の止め長穴１７のようなもの）を形成したものをもちいてもよい。
【００５０】
（装置例３）
図７は、本発明の装置例３を示す太陽光発電装置用架台の正面図である。図８は、装置例３の平面図である。図９は、装置例３の側面図であり、（ａ）が全体側面図、（ｂ）が要部拡大側面図である。図１０は、装置例３の斜視図である。
図中、上述の装置例１又は装置例２の構成部材と同一の部材には同一の符号を付している。
【００５１】
装置例３と装置例１及び装置例２との主な相違点は、装置例１及び装置例２におけるフレーム５が装置例３では側面Ｌ字形状を成してなるフレーム１５に入れ替わっている点と、装置例１における並行アーム６（装置例２における並行アーム６’）が装置例３では先端が閉鎖連結したコの字形状部材からなる並行アーム１６に入れ替わっている点である。
そして、並行アーム１６と側面Ｌ型フレーム１５とは、図１０に示すように、４箇所の接触点で固定されている。
【００５２】
装置例３の具体的構成を以下に説明する。図８に示すように側面Ｌ型フレーム１５に形成された４つのバンド穴４には、１本のバンド２が連続挿通されている。このバンド２は、支柱１に巻きつけられ、その両端がボルトナット３によって締結固定されている。これにより、側面Ｌ型フレーム１５は、溝型本体部１５ａと並行ブラケット部１５ｂとからなり、溝型本体部１５ａの外背面が支柱１の一側面に所望の方向に向けて取り付けられる。
【００５３】
ここで、側面Ｌ型フレーム１５は、図１０に示すように、長方形の溝型本体部１５ａの対向する２辺の下端それぞれに、並行ブラケット部１５ｂを突出した構造であって、その側面がＬ字形状を呈した構造をしている。そして、フレーム１５における溝型本体部１５ａの外背面の一側面が支柱１の側面に接するように、支柱１に側面Ｌ型フレーム１５が取り付けられる。
【００５４】
並行アーム１６は、図８、図９及び図１０に示すように、４つの固定ボルト１４とナット１２によって側面Ｌ型フレーム１５に固定されている。また、並行アーム１６には、図８、図９及び図１０に示すように、太陽光発電装置７両側がネジ９によって装着されている。
【００５５】
側面Ｌ型フレーム１５の溝型本体部１５ａの側面及び並行アーム１６の側面それぞれの長手方向には、図９及び図１０に示すように、固定ボルト１４を挿入する止め穴１３が等間隔に複数個貫設されている。
【００５６】
そこで、フレーム１５及び並行アーム１６における固定ボルト１４の挿入取り付け位置を選択・変更することによって、並行アーム１６の傾斜角度即ち太陽光発電装置７の傾斜角度を所望の角度に設定して固定することが出来る。
【００５７】
また、図８に示すように、固定ボルト１４の先端にナット１２をねじ込み固定することによって、並行アーム１６がフレーム１５から脱落することを防いでいる。なお、固定ボルト１４の取り付けは、止め穴１３の裏表、即ちＬ型フレーム１５及び並行アーム１６の裏表、のどちらからでも取り付け可能となっている。
【００５８】
これらにより、本発明の装置例３によれば、支柱１に簡易に設置することが可能であるので、図１２に示すような従来の太陽光発電装置用架台よりも設置面積を大幅に低減することが可能となる。また、太陽光発電装置７の傾斜角度及びその太陽光発電装置７の向きを、所望の傾斜角度及び向きに簡易に設定・調整出来るので、支柱１の設置地域及び環境に左右されずに、高効率の発電を太陽光発電装置７にさせることが出来る。
【００５９】
また、フレーム１５を用いたことにより、装置例１及び装置例２の構成部材である控調節具１０が不要となり、更なる構成の簡素化、低コスト化及びメンテナンスの容易化を図ることができる。
【００６０】
（装置例４）
図１１は、本発明の装置例４を示す太陽光発電装置用架台の側面図であり、（ａ）が全体側面図、（ｂ）が要部拡大側面図である。
図中、上述の装置例３の構成部材と同一の部材には同一の符号を付している。
【００６１】
装置例４と装置例３との相違点は、装置例３における並行アーム１６が、装置例４では並行アーム１６’に入れ替わっている点である。即ち、並行アーム１６’において、固定ボルト１４を挿入するための止め長穴２７が貫設延在されている点が相違点である。その他の構成は、図７から図１０に示す装置例３と同じである。
【００６２】
装置例４の具体的構成を以下に説明する。図８に示すようにＬ型フレーム１５に形成された４つのバンド穴４には、１本のバンド２が連続挿通されている。このバンド２は、支柱１に巻きつけられ、その両端がボルトナット３によって締結固定されている。これにより、側面Ｌ型フレーム１５は、溝型本体部１５ａと並行ブラケット部１５ｂとからなり、溝型本体部１５ａの外背面を支柱１の一側面に所望の方向に向けて取り付けられる。
【００６３】
ここで、側面Ｌ型フレーム１５は、図１０及び図１１に示すように、長方形の溝型本体部１５ｂの対向する２辺の下端それぞれに、並行ブラケット部１５ｂを突出した構造であって、その側面がＬ字形状を呈した構造をしている。そして、側面Ｌ型フレーム１５における溝型本体部１５ａの外背面が支柱１の一側面に接するように、支柱１に側面Ｌ型フレーム１５が取り付けられる。
【００６４】
並行アーム１６’は、図１１に示すように、４つの固定ボルト１４とナット１２によって側面Ｌ型フレーム１５に固定されている。また、並行アーム１６’には、図１１に示すように、太陽光発電装置７両側がネジ９によって装着されている。
【００６５】
側面Ｌ型フレーム１５の溝型本体部１５ａの側面長手方向には、図１１、図９及び図１０に示すように、固定ボルト１４を挿入する止め穴１３が複数個形成されている。
並行アーム１６’の側面長手方向には、固定ボルト１４を挿入する止め長穴２７が形成されている。
【００６６】
そこで、側面Ｌ型フレーム１５及び並行アーム１６’における固定ボルト１４の挿入取り付け位置を選択・変更することによって、並行アーム１６’の傾斜角度即ち太陽光発電装置７の傾斜角度を所望の角度に設定して固定することが出来る。ここで、並行アーム１６’に止め長穴２７を形成したことにより、装置例４の方が装置例３よりも、太陽光発電装置７の傾斜角度の微調整が容易となっている。
【００６７】
また、図８及び図１１に示すように、固定ボルト１４の先端にナット１２をねじ込み固定することによって、並行アーム１６’が側面Ｌ型フレーム１５から脱落することを防いでいる。なお、固定ボルト１４の取り付けは、止め穴１３の裏表、即ち側面Ｌ型フレーム１５及び並行アーム１６’の裏表、のどちらからでも取り付け可能となっている。
【００６８】
これらにより、本発明の装置例４によれば、装置例３と同様に、支柱１に簡易に設置することが可能であるので、図１２に示すような従来の太陽光発電装置用架台よりも設置面積を大幅に低減することが可能となる。また、太陽光発電装置７の傾斜角度及びその太陽光発電装置７の向きを、装置例３よりも微細に、所望の傾斜角度及び向きに簡易に設定・調整出来るので、支柱１の設置地域及び環境に左右されずに、装置例３よりも高効率の発電を太陽光発電装置７にさせることが出来る。
【００６９】
なお、上述の装置例３及び装置例４では、側面Ｌ型フレーム１５には複数の止め穴１３が形成されているが、側面Ｌ型フレーム１５として、止め穴１３の代わりとして機能する止め長穴（並行アーム１６’の止め長穴２７のようなもの）を形成したものをもちいてもよい。
【００７０】
以上、本発明の実施形態を説明したが、本発明は、必ずしも上記した事項に限定されるものではなく、本発明の目的を達し、下記する効果を奏する範囲において、適宜変更実施可能である。例えば、支柱１は、いわゆる電柱、あるいは道路標識の支柱など既存の設備でもよくしかも支柱１に多段に装架し、本太陽光発電装置用架台のために新規に設置した支柱でもよい。また、支柱１は、円柱形状のものでなくともよく、三角柱、四角柱、その他の多角柱、あるいは建築物の並行アーム形状部材でもよい。
【００７１】
【発明の効果】
以上説明したように、本発明によれば、簡素な構成によって簡易に太陽光発電装置を支柱に設置することが可能であるので、太陽光発電装置の設置面積を図１２に示すような従来の太陽光発電装置用架台よりも大幅に低減することが可能となる。
【００７２】
また、固定ボルト又は連立ボルトの挿入位置を変えることなどにより、太陽光発電装置用架台の設置地域の緯度及び気象条件に合わせて、太陽光発電装置の傾斜角度及び向きを簡易に設定・調整出来るので、高効率の発電を太陽光発電装置にさせることが可能となり、太陽光発電装置用架台の設置地域ごとに太陽光発電装置用架台の設計をすることが不用となって量産化が可能となる。
【００７３】
更にまた、簡易な構造であるので、施工性に優れ、メンテナンスも容易に実行することが可能となる。
【図面の簡単な説明】
【図１】本発明の実施形態である装置例１の正面図である。
【図２】同上の平面図である。
【図３】同上の側面図であり、（ａ）が全体側面図、（ｂ）が要部拡大側面図である。
【図４】同上の構成要素の一部であり、（ａ）が固定具１１の使用時の平面図、（ｂ）が固定ボルト１４の使用時の平面図、（ｃ）が控調節具１０、固定具１１、ナット１２及び固定ボルト１４の斜視図である。
【図５】同上の斜視図であり、（ａ）が全体斜視図、（ｂ）が並行アーム６の斜視図、（ｃ）が同図（ｂ）の点線での切断斜視図である。
【図６】本発明の実施形態である装置例２の側面図であり、（ａ）が全体側面図、（ｂ）が要部拡大側面図である。
【図７】本発明の実施形態である装置例３の正面図である。
【図８】同上の平面図である。
【図９】同上の側面図であり、（ａ）が全体側面図、（ｂ）が要部拡大側面図である。
【図１０】同上の斜視図である。
【図１１】本発明の実施形態である装置例４の側面図であり、（ａ）が全体側面図、（ｂ）が要部拡大側面図である。
【図１２】従来の太陽光発電装置用架台の斜視図である。
【符号の説明】
１…支柱
２…バンド
３…ボルトナット
４…バンド穴
５…フレーム
５ａ…並突部
６、６’…並行アーム
７…太陽光発電装置
８…枢支軸
９…ネジ
１０…控調節具
１１…固定具
１１ａ…連立ボルト
１２…ナット
１３…止め穴
１４…固定ボルト
１５…側面Ｌ型フレーム
１５ａ…溝型本体部
１５ｂ…並行ブラケット部
１６、１６’…並行アーム
１７、２７…止め長穴
１００…太陽光発電装置
２００…アングル
３００…コンクリート基礎
【図１】
0003685718.tif 000002
【図２】
0003685718.tif 000003
【図３】
0003685718.tif 000004
【図４】
0003685718.tif 000005
【図５】
0003685718.tif 000006
【図６】
0003685718.tif 000007
【図７】
0003685718.tif 000008
【図８】
0003685718.tif 000009
【図９】
0003685718.tif 000010
【図１０】
0003685718.tif 000011
【図１１】
0003685718.tif 000012
【図１２】
0003685718.tif 000013